(57)【要約】      （修正有）【課題】エッジ法によるＭＴＦの測定を容易にする乳房Ｘ線撮影装置用ＭＴＦエッジの位置決め器具を提供する。【解決手段】乳房Ｘ線撮影装置の乳房支持台にテスト用被写体を配置してエッジ法でＭＴＦを測定するために用いられる乳房Ｘ線撮影装置用ＭＴＦエッジの位置決め器具１０であって、ガイド部１１と枠部１２とを一体的に有する。ガイド部１１は枠部１２の乳房支持台への載置面に対し直角に設けられる。ガイド部１１は、乳房支持台の正面に当接して枠部１２を乳房支持台の上面の所定の位置に位置付け可能である。枠部１２はテスト用被写体のＭＴＦエッジ位置決め用の開口部１２ｂを有する。【選択図】図１
0003231753.tif 000002
【実用新案登録請求の範囲】
【請求項１】
乳房Ｘ線撮影装置の乳房支持台にテスト用被写体を配置してエッジ法でＭＴＦを測定するために用いられる乳房Ｘ線撮影装置用ＭＴＦエッジの位置決め器具であって、
ガイド部と枠部とを一体的に有し、
前記ガイド部は前記乳房支持台の正面に当接して前記枠部を前記乳房支持台の上面の所定の位置に位置付け可能に前記枠部の前記乳房支持台への載置面に対し直角に設けられ、
前記枠部は前記テスト用被写体のＭＴＦエッジ位置決め用の開口部を有することを、
特徴とする乳房Ｘ線撮影装置用ＭＴＦエッジの位置決め器具。
【請求項２】
乳房Ｘ線撮影装置の乳房支持台に長辺が短辺の２倍の長さの長方形板状のテスト用被写体を配置してエッジ法でＭＴＦを測定するために用いられる乳房Ｘ線撮影装置用ＭＴＦエッジの位置決め器具であって、
前記乳房支持台は上面と、前記上面に直角の正面とを有し、前記上面と前記正面との交線に胸壁端を有し、
透明なガイド部と透明な枠部とを一体的に有し、
前記ガイド部は前記枠部に直角に設けられ、前記正面に当接可能なガイド面を有し、
前記枠部は、前記乳房支持台への載置面を有し、前記載置面が前記ガイド面に対し直角をなし、前記枠部は内側に前記テスト用被写体の２つの短辺および１つの長辺と当接可能な正方形状の開口部を有し、前記載置面と前記ガイド面との交線に垂直の第１座標線と、前記第１座標線に対し垂直の第２座標線とを有し、前記第１座標線と前記第２座標線との交点は前記開口部の中心と一致しており、前記ガイド部は前記載置面と前記ガイド面との交線に垂直で前記第１座標線と交わる基準線を有し、
前記ガイド面を前記正面に沿って配置し、前記枠部を前記上面に載置して前記乳房支持台の上面に前記胸壁端の左右中心から直角に伸びる中心線を想定したとき前記第１座標線を前記中心線に合わせ、前記開口部に前記テスト用被写体の前記短辺および前記長辺を当接させたとき、前記長辺の反対辺となる前記テスト用被写体のＭＴＦエッジを前記中心線に対して所定の角度傾斜させて位置付け可能に、前記開口部は前記第１座標線および前記第２座標線に対し傾斜していることを、
特徴とする乳房Ｘ線撮影装置用ＭＴＦエッジの位置決め器具。
【請求項３】
透明な高さ調節用ガイド部と厚板部とを一体的に有する高さ調節部材を有し、
前記高さ調節用ガイド部は前記厚板部に直角に設けられ、前記正面に当接可能な高さ調節用ガイド面を有し、前記厚板部は、前記乳房支持台への厚板載置面を有し、前記厚板載置面が前記高さ調節用ガイド面に対し直角をなし、前記高さ調節用ガイド部は前記厚板載置面と前記高さ調節用ガイド面との交線に垂直の高さ調節用基準線を有し、
前記厚板部は所定の厚さを有し、前記高さ調節用ガイド面を前記正面に沿って配置したとき前記正面と同一平面上に配置される端面を有し、前記厚板部は前記端面に沿って前記高さ調節用ガイド面を配置し厚板部上面に前記枠部を載置したとき、前記開口部の内側に配置可能な貫通孔を有することを、
特徴とする請求項２記載の乳房Ｘ線撮影装置用ＭＴＦエッジの位置決め器具。
【考案の詳細な説明】
【技術分野】
【０００１】
本考案は、乳房Ｘ線撮影装置用ＭＴＦエッジの位置決め器具に関する。
【背景技術】
【０００２】
乳房Ｘ線撮影の画質は、Ｘ線検出器、画像処理、撮影技術などによって異なることから、一定以上の画質を確保するため、画質基準を明確にし、精密な乳房Ｘ線撮影装置の物理評価を行う必要がある。
その物理評価のため、乳房Ｘ線撮影装置の乳房支持台にテスト用被写体を配置してエッジ法によりＭＴＦを測定する評価方法が知られている。
ところで、乳房Ｘ線撮影装置において、放射源と検査対象とを相対的に位置決めするための位置決め装置が開示されている（例えば、特許文献１参照）。
【先行技術文献】
【特許文献】
【０００３】
【特許文献１】特表２００９−５２５０９３号公報
【考案の概要】
【考案が解決しようとする課題】
【０００４】
しかしながら、特許文献１に記載の位置決め装置は、エッジ法によりＭＴＦを測定するために利用されるものではない。
エッジ法によりＭＴＦを測定するとき、ＭＴＦエッジを１．５〜３．０°の角度で傾ける必要があるが、定規や分度器などを用いてそのわずかな角度を傾ける作業は容易でないため、エッジ法によるＭＴＦの測定には、熟練技術と慎重な作業が求められるという課題があった。
【０００５】
本考案は、このような課題に着目してなされたもので、エッジ法によるＭＴＦの測定を容易にする乳房Ｘ線撮影装置用ＭＴＦエッジの位置決め器具を提供することを目的とする。
【課題を解決するための手段】
【０００６】
上記目的を達成するために、本考案に係る乳房Ｘ線撮影装置用ＭＴＦエッジの位置決め器具は、乳房Ｘ線撮影装置の乳房支持台にテスト用被写体を配置してエッジ法でＭＴＦを測定するために用いられる乳房Ｘ線撮影装置用ＭＴＦエッジの位置決め器具であって、ガイド部と枠部とを一体的に有し、前記ガイド部は前記乳房支持台の正面に当接して前記枠部を前記乳房支持台の上面の所定の位置に位置付け可能に前記枠部の前記乳房支持台への載置面に対し直角に設けられ、前記枠部は前記テスト用被写体のＭＴＦエッジ位置決め用の開口部を有することを、特徴とする。
【０００７】
本考案に係る乳房Ｘ線撮影装置用ＭＴＦエッジの位置決め器具は、ガイド部を乳房支持台の正面に当接させ、枠部を乳房支持台の上面の所定の位置に位置付ることにより、テスト用被写体のＭＴＦエッジ位置決め用の開口部を乳房支持台の上面に配置し、その開口部でテスト用被写体のＭＴＦエッジを容易に位置決めすることができる。
【０００８】
本考案に係る乳房Ｘ線撮影装置用ＭＴＦエッジの位置決め器具は、乳房Ｘ線撮影装置の乳房支持台に長辺が短辺の２倍の長さの長方形板状のテスト用被写体を配置してエッジ法でＭＴＦを測定するために用いられる乳房Ｘ線撮影装置用ＭＴＦエッジの位置決め器具であって、前記乳房支持台は上面と、前記上面に直角の正面とを有し、前記上面と前記正面との交線に胸壁端を有し、透明なガイド部と透明な枠部とを一体的に有し、前記ガイド部は前記枠部に直角に設けられ、前記正面に当接可能なガイド面を有し、前記枠部は、前記乳房支持台への載置面を有し、前記載置面が前記ガイド面に対し直角をなし、前記枠部は内側に前記テスト用被写体の２つの短辺および１つの長辺と当接可能な正方形状の開口部を有し、前記載置面と前記ガイド面との交線に垂直の第１座標線と、前記第１座標線に対し垂直の第２座標線とを有し、前記第１座標線と前記第２座標線との交点は前記開口部の中心と一致しており、前記ガイド部は前記載置面と前記ガイド面との交線に垂直で前記第１座標線と交わる基準線を有し、前記ガイド面を前記正面に沿って配置し、前記枠部を前記上面に載置して前記乳房支持台の上面に前記胸壁端の左右中心から直角に伸びる中心線を想定したとき前記第１座標線を前記中心線に合わせ、前記開口部に前記テスト用被写体の前記短辺および前記長辺を当接させたとき、前記長辺の反対辺となる前記テスト用被写体のＭＴＦエッジを前記中心線に対して所定の角度傾斜させて位置付け可能に、前記開口部は前記第１座標線および前記第２座標線に対し傾斜していることが好ましい。
【０００９】
この場合、ガイド面を乳房支持台の正面に沿って配置し、枠部を乳房支持台の上面に載置して第１座標線を乳房支持台の上面の中心線に合わせ、開口部にテスト用被写体の短辺および長辺を当接させたとき、テスト用被写体のＭＴＦエッジを中心線に対して所定の角度傾斜させて位置付けることができる。このため、エッジ法によるＭＴＦの測定を容易にすることができる。
【００１０】
本考案に係る乳房Ｘ線撮影装置用ＭＴＦエッジの位置決め器具は、透明な高さ調節用ガイド部と厚板部とを一体的に有する高さ調節部材を有し、前記高さ調節用ガイド部は前記厚板部に直角に設けられ、前記正面に当接可能な高さ調節用ガイド面を有し、前記厚板部は、前記乳房支持台への厚板載置面を有し、前記厚板載置面が前記高さ調節用ガイド面に対し直角をなし、前記高さ調節用ガイド部は前記厚板載置面と前記高さ調節用ガイド面との交線に垂直の高さ調節用基準線を有し、前記厚板部は所定の厚さを有し、前記高さ調節用ガイド面を前記正面に沿って配置したとき前記正面と同一平面上に配置される端面を有し、前記厚板部は前記端面に沿って前記高さ調節用ガイド面を配置し厚板部上面に前記枠部を載置したとき、前記開口部の内側に配置可能な貫通孔を有することが好ましい。
【００１１】
この場合、高さ調節部材によりＭＴＦエッジの高さを調節することができる。高さ調節部材の高さ調節用ガイド面を乳房支持台の正面に沿って配置し、厚板部を乳房支持台の上面に載置する。高さ調節部材の端面に沿ってガイド面を配置し、厚板部上面に枠部を載置して高さ調節用基準線と基準線とを一直線にする。第１座標線を乳房支持台の上面の中心線に合わせ、貫通孔を開口部の内側に配置する。開口部にテスト用被写体の短辺および長辺を当接させれば、テスト用被写体のＭＴＦエッジを中心線に対して所定の角度傾斜させて位置付けることができる。
【考案の効果】
【００１２】
本考案によれば、エッジ法によるＭＴＦの測定を容易にする乳房Ｘ線撮影装置用ＭＴＦエッジの位置決め器具を提供することができる。
【図面の簡単な説明】
【００１３】
【図１】本考案の乳房Ｘ線撮影装置用ＭＴＦエッジの位置決め器具の平面図である。
【図２】図１の位置決め器具の右側面図である。
【図３】図２の位置決め器具の正面図である。
【図４】乳房支持台に本考案の位置決め器具を配置した状態の斜視図である。
【図５】本考案の乳房Ｘ線撮影装置用ＭＴＦエッジの位置決め器具の高さ調節部材を示す正面図である。
【図６】図５の高さ調節部材の平面図である。
【図７】図１の位置決め器具の本体と高さ調節部材とを組み合わせた状態の正面図である。
【図８】図７に示す組み合わせた状態の平面図である。
【図９】乳房Ｘ線撮影装置の乳房支持台の周辺を示す斜視図である。
【考案を実施するための形態】
【００１４】
以下、図面に基づき、本考案の実施の形態について説明する。
図１〜図８は、本考案の実施の形態の乳房Ｘ線撮影装置用ＭＴＦエッジの位置決め器具１０を示している。位置決め器具１０は、乳房Ｘ線撮影装置１の乳房支持台２にテスト用被写体３を配置してエッジ法でＭＴＦを測定するために用いられる。テスト用被写体３は、長辺が短辺の２倍の長さの長方形板状のステンレス板から成っている。一例で、テスト用被写体３の寸法は、短辺が６ｃｍ、長辺が１２ｃｍ、厚さ０．８ｍｍである。
図９に示すように、乳房支持台２は上面２ａと、上面２ａに直角の正面２ｂとを有している。乳房支持台２は、上面２ａと正面２ｂとの交線に胸壁端２ｃを有する。乳房支持台２の上面２ａに胸壁端２ｃの左右中心から直角に伸びる中心線２ｄを想定する。
【００１５】
図１〜図３に示すように、位置決め器具１０の本体１０ａは、透明なガイド部１１と透明な枠部１２とを一体的に有している。ガイド部１１は、板状であって枠部１２に直角に設けられ、正面２ｂに当接可能なガイド面１１ａを有している。
枠部１２は、板状であって乳房支持台２への載置面１２ａを有し、載置面１２ａがガイド面１１ａに対し直角をなしている。枠部１２は、内側に正方形状の開口部１２ｂを有している。開口部１２ｂは、テスト用被写体３の２つの短辺および１つの長辺と当接可能な大きさを有している。一例で、開口部１２ｂは１辺が１２ｃｍである。
【００１６】
枠部１２は、載置面１２ａとガイド面１１ａとの交線に垂直の第１座標線１２ｃと、第１座標線１２ｃに対し垂直の２本の第２座標線１２ｄとを有している。第１座標線１２ｃおよび第２座標線１２ｄは、枠部１２に埋め込まれたステンレンスピンで形成されている。第１座標線１２ｃと第２座標線１２ｄとの交点は、正方形状の開口部１２ｂの中心と一致している。ガイド部１１は、載置面１２ａとガイド面１１ａとの交線に垂直で第１座標線１２ｃと交わる基準線１１ｂを有している。
【００１７】
開口部１２ｂは、第１座標線１２ｃおよび第２座標線１２ｄに対し傾斜している。傾斜角度は、ガイド面１１ａを正面２ｂに沿って配置し、枠部１２を上面２ａに載置して第１座標線１２ｃを中心線２ｄに合わせ、開口部１２ｂにテスト用被写体３の短辺および長辺を当接させたとき、長辺の反対辺となるテスト用被写体３のＭＴＦエッジ３ａを中心線２ｄに対して所定の角度傾斜させて位置付け可能な角度である。一例で、所定の角度は、第１座標線１２ｃおよび第２座標線１２ｄに対し、１．５〜３．０°の角度である。
【００１８】
位置決め器具１０を用いて、エッジ法によるＭＴＦの測定を行う場合、図４に示すように、ガイド面１１ａを乳房支持台２の正面２ｂに沿って配置し、枠部１２を乳房支持台２の上面２ａに載置して第１座標線１２ｃを中心線２ｄに合わせる。開口部１２ｂにテスト用被写体３の短辺および長辺を当接させたとき、テスト用被写体３のＭＴＦエッジ３ａを中心線２ｄに対して所定の角度傾斜させて位置付けることができる。撮影は、水平方向と垂直方向の２方向のＭＴＦエッジ３ａについて行う。これにより、エッジ法によるＭＴＦの測定を容易にすることができる。
【００１９】
図５〜図６に示すように、位置決め器具１０は、本体１０ａと別体の高さ調節部材１３を有している。高さ調節部材１３は、透明な高さ調節用ガイド部１４と厚板部１５とを一体的に有している。高さ調節用ガイド部１４は、厚板部１５に直角に設けられ、乳房支持台２の正面２ｂに当接可能な高さ調節用ガイド面を有している。厚板部１５は、直方体状の発泡樹脂から成る。発泡樹脂には、ＭＴＦの解析結果に影響を与えない素材が選択される。
【００２０】
厚板部１５は、乳房支持台２への厚板載置面１５ａを有し、厚板載置面１５ａが高さ調節用ガイド面に対し直角をなしている。高さ調節用ガイド部１４は、厚板載置面１５ａと高さ調節用ガイド面との交線に垂直の高さ調節用基準線１４ａを有している。厚板部１５は所定の厚さを有している。一例で、所定の厚さは、４０ｍｍまたは７０ｍｍである。厚板部１５は、高さ調節用ガイド面を正面２ｂに沿って配置したとき正面２ｂと同一平面上に配置される端面１５ｂを有している。厚板部１５は、端面１５ｂに沿って高さ調節用ガイド面を配置し厚板部上面１５ｃに枠部１２を載置したとき、開口部１２ｂの内側に配置可能な貫通孔１５ｄを有している。貫通孔１５ｄの大きさは、ＭＴＦの解析に必要な関心領域（ＲＯＩ）に重ならない大きさに設定される。
【００２１】
高さ調節部材１３は、受入試験および不変性試験を行う際に、ＭＴＦの高さ調節のために用いられる。高さ調節部材１３によりＭＴＦエッジ３ａの高さを調節することができる。高さ調節用ガイド部１４の高さ調節用ガイド面を乳房支持台２の正面２ｂに沿って配置し、厚板部１５を乳房支持台２の上面２ａに載置する。図８に示すように、高さ調節部材１３の端面１５ｂに沿ってガイド部１１のガイド面１１ａを配置し、厚板部上面１５ｃに枠部１２を載置して高さ調節用基準線１４ａとガイド部１１の基準線１１ｂとを一直線にする。第１座標線１２ｃを中心線２ｄに合わせ、貫通孔１５ｄを開口部１２ｂの内側に配置する。開口部１２ｂにテスト用被写体３の短辺および長辺を当接させれば、テスト用被写体３のＭＴＦエッジ３ａを中心線２ｄに対して所定の角度傾斜させて位置付けることができる。これにより、ＭＴＦエッジ３ａの高さを調節し、受入試験および不変性試験を容易にすることができる。特に、位置決め器具１０を用いることによって、国際規格のＭＴＦ測定を容易に行うことができる。
【符号の説明】
【００２２】
１  乳房Ｘ線撮影装置、２  乳房支持台、２ａ  上面、２ｂ  正面、２ｃ  胸壁端、２ｄ  中心線、３  テスト用被写体、３ａ  ＭＴＦエッジ、１０  乳房Ｘ線撮影装置用ＭＴＦエッジの位置決め器具、１０ａ  本体、１１  ガイド部、１１ａ  ガイド面、１１ｂ  基準線、１２  枠部、１２ａ  載置面、１２ｂ  開口部、１２ｃ  第１座標線、１２ｄ  第２座標線、１３  高さ調節部材、１４  高さ調節用ガイド部、１５  厚板部、１５ａ  厚板載置面、１４ａ  高さ調節用基準線、１５  厚板部、１５ａ  厚板載置面、１５ｂ  端面、１５ｃ  厚板部上面、１５ｄ  貫通孔
【図１】
0003231753.tif 000003
【図２】
0003231753.tif 000004
【図３】
0003231753.tif 000005
【図４】
0003231753.tif 000006
【図５】
0003231753.tif 000007
【図６】
0003231753.tif 000008
【図７】
0003231753.tif 000009
【図８】
0003231753.tif 000010
【図９】
0003231753.tif 000011